(57)【要約】【課題】為替被仕向電文を自動的に仕分けすることができ、振込不能な振込処理を依頼した顧客に対する振込不能通知のファクシミリ送信、振込不能通知に対する返信のファクシミリ受信、及び、振込不能な振込処理の依頼内容の修正処理をオペレータ端末で行うことができ、印刷媒体の消費量を削減することができ、店員の作業負担を低減することができるようにする。【解決手段】中継サーバ１３は、勘定系ホストサーバ１４が他金融機関サーバから受信した為替被仕向電文を振込不能を示す為替被仕向電文とその他の為替被仕向電文とに仕分けして、振込不能を示す為替被仕向電文を集中センタシステム２０に送信し、その他の為替被仕向電文を営業店システム１０に送信する。【選択図】図１
2007087114.tif 000002
【特許請求の範囲】
【請求項１】
（ａ）為替仕向依頼を処理する金融機関の営業店システムと、
（ｂ）中継サーバを介して前記営業店システムに接続された金融機関の勘定系ホストサーバであって、他金融機関サーバに為替仕向依頼を送信するとともに、他金融機関サーバから為替被仕向電文を受信する勘定系ホストサーバと、
（ｃ）前記中継サーバを介して前記勘定系ホストサーバに接続され、振込不能を示す為替被仕向電文を受信すると振込不能通知をファクシミリ送信する集中センタシステムとを有し、
（ｄ）前記中継サーバは、前記勘定系ホストサーバが他金融機関サーバから受信した為替被仕向電文を振込不能を示す為替被仕向電文とその他の為替被仕向電文とに仕分けして、振込不能を示す為替被仕向電文を前記集中センタシステムに送信し、その他の為替被仕向電文を前記営業店システムに送信することを特徴とする仕向振込不能処理システム。
【請求項２】
前記集中センタシステムは、受信した振込不能を示す為替被仕向電文を蓄積するデータベースサーバ、及び、振込不能通知をファクシミリ送信するファクシミリサーバを備える請求項１に記載の仕向振込不能処理システム。
【請求項３】
前記ファクシミリサーバは、前記振込不能通知に対する返信をファクシミリ受信する請求項２に記載の仕向振込不能処理システム。
【請求項４】
前記営業店システムは、前記中継サーバから受信したその他の為替被仕向電文を印刷する為替被仕向用プリンタを備える請求項１〜３のいずれか１項に記載の仕向振込不能処理システム。
【発明の詳細な説明】
【技術分野】
【０００１】
本発明は、仕向振込不能処理システムに関するものである。
【背景技術】
【０００２】
従来、銀行、信用金庫、郵便局等の金融機関においては、勘定系のホストコンピュータが全銀協（全国銀行協会）オンライン等のネットワークを介して、他の金融機関で使用される勘定系のホストコンピュータと通信可能に接続され、他の金融機関に開設された口座への振込のように、異なる金融機関との間での資金の移動を行うことができるようになっている（例えば、特許文献１参照。）。
【０００３】
図２は従来のシステムの構成を示す図、図３は従来のシステムの運用フローを示す図である。
【０００４】
図２において、１１０は、銀行、信用金庫、郵便局等の金融機関の支店、本店等の営業店に配設されたコンピュータシステムとしての営業店システムである。なお、該営業店システム１１０は、営業店以外の、例えば、金融機関のエリアセンタ、集中店等に配設されたものであってもよい。そして、営業店システム１１０は、営業店端末１１１、営業店サーバ１１２及び為替被仕向用プリンタ１２１を有する。前記営業店端末１１１は、営業店に配設され、オペレータが操作して、為替仕向依頼等の処理を行う端末である。また、前記営業店サーバ１１２は、営業店に配設され、該営業店において行われる各種の金融取引の処理を実行するサーバであり、図示されないＬＡＮ（Ｌｏｃａｌ  Ａｒｅａ  Ｎｅｔｗｏｒｋ）等の営業店内ネットワークを介して、前記営業店端末１１１と通信可能に接続されている。さらに、為替被仕向用プリンタ１２１は、営業店に配設され、他の金融機関から受信した為替被仕向電文１１６の内容等を印刷するために使用される印刷装置であり、営業店内ネットワークを介して、前記営業店端末１１１と通信可能に接続されている。
【０００５】
ここで、「仕向」及び「被仕向」は、金融機関の業務において広く使用されている用語であり、「仕向」とは振込を依頼した側を意味し、「被仕向」は振込をされた側を意味する。
【０００６】
そして、前記営業店サーバ１１２は、中継サーバ１１３を経由して、当該金融機関で使用される勘定系のホストコンピュータである勘定系ホストサーバ１１４に接続されている。図２に示される例において、中継サーバ１１３は複数台であるが、中継サーバ１１３は一台であってもよいし、その数は任意に設定することができる。なお、前記営業店サーバ１１２、中継サーバ１１３及び勘定系ホストサーバ１１４は、全銀協オンライン等のネットワークを介して相互に接続されている。
【０００７】
また、１１５は、他の金融機関で使用される勘定系のホストコンピュータである他金融機関サーバであり、全銀協オンライン等のネットワークを介して、勘定系ホストサーバ１１４と通信可能に接続されている。
【０００８】
ところで、他の金融機関に対して振込を依頼しても、例えば、振込先が不明である等の何らかの原因によって、振込不能であると他の金融機関において判断された場合には、仕向不能処理が実行される。そこで、前記従来のシステムにおける仕向不能処理の動作について説明する。
【０００９】
まず、当該金融機関に口座を開設している顧客によって、他の金融機関に開設されている口座への振込が依頼されると、営業店のオペレータは、営業店端末１１１を操作して、為替仕向依頼を入力する。すなわち、依頼入力を行う。この場合、振込先、振込金額等を指定するデータが入力される。そして、該データは、営業店サーバ１１２から中継サーバ１１３を経由して、勘定系ホストサーバ１１４に送信される。
【００１０】
すると、該勘定系ホストサーバ１１４は、仕向振込を指示するための電文としての為替仕向電文を作成して、振込先の口座が開設されている他の金融機関の他金融機関サーバ１１５に送信する。
【００１１】
続いて、該他金融機関サーバ１１５は、受信した為替仕向電文に従って、指定された振込先の口座に指定された振込金額を振り込むための振込処理を実行する。すなわち、他の金融機関内での処理が行われる。そして、前記他金融機関サーバ１１５は、実行された振込処理について、被仕向用の電文として為替被仕向電文１１６を作成し、勘定系ホストサーバ１１４に送信する。また、何らかの原因によって、振込不能であると判断されると、前記他金融機関サーバ１１５は振り込むための処理を中止する。そして、前記他金融機関サーバ１１５は、振込不能であると判断された振込処理についても、実行された振込処理と同様に、被仕向用の電文として為替被仕向電文１１６を作成し、勘定系ホストサーバ１１４に送信する。なお、前記為替被仕向電文１１６は、付替電文、請求電文、一般通信電文、その他通信電文等を含んでいる。この場合、振込処理の依頼内容について照会するための一般通信電文には仕向振込処理が含まれている。
【００１２】
続いて、勘定系ホストサーバ１１４が受信した為替被仕向電文１１６は、中継サーバ１１３を経由して、営業店サーバ１１２に送信される。そして、前記為替被仕向電文１１６の内容は、為替被仕向用プリンタ１２１によって、随時印刷媒体に印刷され、為替被仕向用通知が作成される。
【００１３】
その後、営業店のオペレータ等の店員は、為替被仕向用プリンタ１２１によって印刷媒体に印刷された為替被仕向用通知の内容を手作業によって確認し、振込不能であると判断された振込処理についての為替被仕向用通知、すなわち、振込不能を示す為替被仕向電文とその他の為替被仕向電文とに仕分けする。続いて、営業店のオペレータ等の店員は、仕分けされた振込不能を示す為替被仕向電文に基づいて、振込不能であると判断された振込処理を依頼した顧客、すなわち、依頼者に宛（あ）てて振込不能通知をファクシミリ送信する。そして、依頼者より、振込処理の依頼内容の修正等の返信をファクシミリ受信すると、受信した返信の内容に沿って、営業店のオペレータ等の店員は、振込処理の依頼内容の修正処理を行う。
【００１４】
次に、運用フローにおける各ステップを説明する。
ステップＳ１  営業店のオペレータは、営業店端末１１１を操作して、為替仕向依頼を入力する。
ステップＳ２  営業店サーバ１１２は、営業店端末１１１から入力されたデータを中継サーバ１１３に送信する。
ステップＳ３  中継サーバ１１３は、営業店サーバ１１２から受信したデータを勘定系ホストサーバ１１４に送信する。
ステップＳ４  勘定系ホストサーバ１１４は、為替仕向電文を作成し、他金融機関サーバ１１５に送信する。
ステップＳ５  他金融機関サーバ１１５は、受信した為替仕向電文に従って、振込処理を実行する。
ステップＳ６  他金融機関サーバ１１５は、為替被仕向電文１１６を作成し、勘定系ホストサーバ１１４に送信する。
ステップＳ７  勘定系ホストサーバ１１４は、他金融機関サーバ１１５から受信した為替被仕向電文１１６を中継サーバ１１３に送信する。
ステップＳ８  中継サーバ１１３は、勘定系ホストサーバ１１４から受信した為替被仕向電文１１６を営業店サーバ１１２に送信する。
ステップＳ９  営業店サーバ１１２は、中継サーバ１１３から受信した為替被仕向電文１１６を為替被仕向用プリンタ１２１に印刷させる。
【特許文献１】特開平０９−０７３４９６号公報
【発明の開示】
【発明が解決しようとする課題】
【００１５】
しかしながら、前記従来のシステムにおいては、為替被仕向用通知が印刷媒体に印刷されて作成されるようになっているので、印刷媒体の消費量が増大するとともに、為替被仕向用通知の内容を手作業によって確認する営業店の店員の負担が増加してしまう。大手の金融機関の場合、一日当たり印刷される為替被仕向用通知の数が合計で一万件にも上るので、印刷媒体の消費量は膨大なものとなる。また、為替被仕向用通知の内容の確認、仕分けされた振込不能通知に基づくファクシミリの送信、返信されたファクシミリの受信、振込処理の依頼内容の修正処理等がすべて手作業によって行われるので、営業店の店員の作業量も膨大なものとなり、前記営業店の店員の作業負担が増加する。
【００１６】
本発明は、前記従来のシステムの問題点を解決して、中継サーバが為替被仕向電文を振込不能を示す為替被仕向電文とその他の為替被仕向電文とに仕分けし、仕分けされた振込不能を示す為替被仕向電文を集中センタシステムに蓄積してオペレータ端末で一括管理することによって、為替被仕向電文を自動的に仕分けすることができ、振込不能な振込処理を依頼した顧客に対する振込不能通知のファクシミリ送信、前記振込不能通知に対する返信のファクシミリ受信、及び、振込不能な振込処理の依頼内容の修正処理をオペレータ端末で行うことができ、印刷媒体の消費量を削減することができ、店員の作業負担を低減することができる仕向振込不能処理システムを提供することを目的とする。
【課題を解決するための手段】
【００１７】
そのために、本発明の仕向振込不能処理システムにおいては、為替仕向依頼を処理する金融機関の営業店システムと、中継サーバを介して前記営業店システムに接続された金融機関の勘定系ホストサーバであって、他金融機関サーバに為替仕向依頼を送信するとともに、他金融機関サーバから為替被仕向電文を受信する勘定系ホストサーバと、前記中継サーバを介して前記勘定系ホストサーバに接続され、振込不能を示す為替被仕向電文を受信すると振込不能通知をファクシミリ送信する集中センタシステムとを有し、前記中継サーバは、前記勘定系ホストサーバが他金融機関サーバから受信した為替被仕向電文を振込不能を示す為替被仕向電文とその他の為替被仕向電文とに仕分けして、振込不能を示す為替被仕向電文を前記集中センタシステムに送信し、その他の為替被仕向電文を前記営業店システムに送信する。
【００１８】
本発明の他の仕向振込不能処理システムにおいては、さらに、前記集中センタシステムは、受信した振込不能を示す為替被仕向電文を蓄積するデータベースサーバ、及び、振込不能通知をファクシミリ送信するファクシミリサーバを備える。
【００１９】
本発明の更に他の仕向振込不能処理システムにおいては、さらに、前記ファクシミリサーバは、前記振込不能通知に対する返信をファクシミリ受信する。
【００２０】
本発明の更に他の仕向振込不能処理システムにおいては、さらに、前記営業店システムは、前記中継サーバから受信したその他の為替被仕向電文を印刷する為替被仕向用プリンタを備える。
【発明の効果】
【００２１】
本発明によれば、仕向振込不能処理システムは、中継サーバが為替被仕向電文を振込不能を示す為替被仕向電文とその他の為替被仕向電文とに仕分けし、仕分けされた振込不能を示す為替被仕向電文を集中センタシステムに蓄積してオペレータ端末で一括管理する。これにより、為替被仕向電文を自動的に仕分けすることができ、振込不能な振込処理を依頼した顧客に対する振込不能通知のファクシミリ送信、前記振込不能通知に対する返信のファクシミリ受信、及び、振込不能な振込処理の依頼内容の修正処理をオペレータ端末で行うことができ、印刷媒体の消費量を削減することができ、店員の作業負担を低減することができる。
【発明を実施するための最良の形態】
【００２２】
以下、本発明の実施の形態について図面を参照しながら詳細に説明する。
【００２３】
図１は本発明の実施の形態における仕向振込不能処理システムの構成を示す図である。
【００２４】
図において、１０は銀行、信用金庫、郵便局等の金融機関の支店、本店等の営業店に配設されたコンピュータシステムとしての営業店システムである。なお、該営業店システム１０は、営業店以外の、例えば、金融機関のエリアセンタ、集中店等に配設されたものであってもよい。そして、営業店システム１０は、図示されないＬＡＮ等の営業店内ネットワークに通信可能に接続された営業店端末１１、営業店サーバ１２及び為替被仕向用プリンタ１６を有する。
【００２５】
ここで、前記営業店端末１１は、ＣＰＵ、ＭＰＵ等の演算装置、磁気ディスク、半導体メモリ等の記憶装置、キーボード、マウス、タッチパネル等の入力装置、ＣＲＴ、液晶ディスプレイ等の表示装置、通信インターフェイス等を備えるパーソナルコンピュータ等のコンピュータであり、営業店の窓口、カウンタ等に配設され、窓口のテラー（Ｔｅｌｌｅｒ）等のオペレータが操作して、入金、出金、通帳記帳、残高照会、振込、振替、送金、定期性預金設定等の金融取引を行う端末である。なお、本実施の形態においては、為替仕向依頼の処理を行う場合について説明する。
【００２６】
また、前記営業店サーバ１２は、ＣＰＵ、ＭＰＵ等の演算装置、磁気ディスク、半導体メモリ等の記憶装置、通信インターフェイス等を備えるコンピュータであり、営業店端末１１の上位装置として機能し、営業店における入金、出金、通帳記帳、残高照会、振込、振替、送金、定期性預金設定等の金融取引を行う。なお、本実施の形態においては、為替仕向依頼を処理する場合について説明する。
【００２７】
さらに、前記為替被仕向用プリンタ１６は、営業店に配設され、他の金融機関から受信した為替被仕向電文の内容等を印刷するために使用される印刷装置であって、電子写真方式印刷装置、インパクト・ドット方式印刷装置、インクジェット方式印刷装置、熱転写方式印刷装置等であるが、いかなる種類の印刷装置であってもよい。
【００２８】
なお、本実施の形態においては、「背景技術」の項でも説明したように、「仕向」とは振込を依頼した側を意味し、「被仕向」は振込をされた側を意味するものとする。
【００２９】
そして、前記営業店サーバ１２は、営業店システム１０が配設された営業店の属する金融機関、すなわち、当該金融機関で使用される勘定系のホストコンピュータである勘定系ホストサーバ１４に、中継サーバ１３を経由して接続されている。前記勘定系ホストサーバ１４は、ＣＰＵ、ＭＰＵ等の演算装置、磁気ディスク、半導体メモリ等の記憶装置、通信インターフェイス等を備えるコンピュータであり、コンピュータセンタ等に配設され、当該金融機関における金融取引を実行する。また、前記中継サーバ１３は、ＣＰＵ、ＭＰＵ等の演算装置、磁気ディスク、半導体メモリ等の記憶装置、通信インターフェイス等を備えるコンピュータであり、勘定系ホストサーバ１４と複数の営業店サーバ１２との間でのデータ転送の中継を行い、勘定系ホストサーバ１４の負荷を分散する。なお、本実施の形態における中継サーバ１３は、為替被仕向電文の中から振込不能を示す為替被仕向電文を抽出し、振込不能を示す為替被仕向電文とその他の為替被仕向電文とに自動的に仕分けするようになっている。
【００３０】
また、図に示される例において、中継サーバ１３は複数台であるが、該中継サーバ１３は一台であってもよいし、その数は任意に設定することができる。なお、前記営業店サーバ１２、中継サーバ１３及び勘定系ホストサーバ１４は、全銀協オンライン等のネットワークを介して相互に接続されている。
【００３１】
さらに、前記勘定系ホストサーバ１４は、全銀協オンライン等のネットワークを介して、他金融機関サーバ１５と通信可能に接続されている。該他金融機関サーバ１５は、当該金融機関以外の金融機関、すなわち、他の金融機関で使用される勘定系のホストコンピュータであり、ＣＰＵ、ＭＰＵ等の演算装置、磁気ディスク、半導体メモリ等の記憶装置、通信インターフェイス等を備え、他の金融機関における金融取引を実行する。なお、他金融機関サーバ１５は、他の金融機関毎にそれぞれ配設されている。
【００３２】
本実施の形態において、当該金融機関は振込を依頼した側である仕向金融機関として機能し、他の金融機関は振込をされた側である被仕向金融機関として機能する。そして、当該金融機関に口座を開設している顧客の依頼によって、他の金融機関に開設されている口座への振込の処理が行われると、前記勘定系ホストサーバ１４は、仕向振込を指示するための電文としての為替仕向電文を作成して、振込先の口座が開設されている他の金融機関の他金融機関サーバ１５に送信する。また、該他金融機関サーバ１５は、受信した為替仕向電文に従って、指定された振込先の口座に指定された振込金額を振り込むための振込処理を実行し、実行した振込処理について、被仕向用の電文として為替被仕向電文を作成し、勘定系ホストサーバ１４に送信するようになっている。
【００３３】
ところで、他の金融機関に対して振込を依頼しても、例えば、振込先が不明である等の何らかの原因によって、振込不能であると他の金融機関において判断された場合には、他金融機関サーバ１５は振り込むための処理を中止する。この場合も、前記他金融機関サーバ１５は、被仕向用の電文として為替被仕向電文を作成し、勘定系ホストサーバ１４に送信する。そして、中継サーバ１３は、勘定系ホストサーバ１４から受信した為替被仕向電文の中から振込不能を示す為替被仕向電文としての一般通信電文３１を抽出して仕分けし、集中センタシステム２０に送信する。また、一般通信電文３１以外の為替被仕向電文、すなわち、その他の為替被仕向電文は、営業店システム１０に送信する。なお、為替被仕向電文には、振込処理の依頼内容について照会するための一般通信電文３１以外に、付替電文、請求電文、その他通信電文等が含まれている。また、前記一般通信電文３１には仕向振込処理が含まれている。
【００３４】
そして、中継サーバ１３は、為替被仕向電文の内容に基づいて一般通信電文３１を抽出する。例えば、他金融機関サーバ１５が、為替被仕向電文に一般通信電文３１であることを示すフラグを立てる場合がある。この場合、中継サーバ１３は、フラグが立てられていることを検出すると、為替被仕向電文の所定のエリアを参照する。そして、該エリアに一般通信電文３１であることを示す所定の記述、例えば、１００〜２００の番号を含む記述が存在することを検出すると、一般通信電文３１であるとして抽出する。
【００３５】
前記集中センタシステム２０は、当該金融機関の集中センタに配設されたコンピュータシステムであり、図示されないＬＡＮ等のセンタ内ネットワークに通信可能に接続されたゲートウェイ（ＧＷ）サーバ２１、データベース（ＤＢ）サーバ２２及びファクシミリ（ＦＡＸ）サーバ２３を有する。前記集中センタは、中継サーバ１３から受信した振込不能を示す為替被仕向電文としての一般通信電文３１に基づいて、振込不能であると判断された振込処理を依頼した顧客、すなわち、依頼者に宛ててファクシミリで送信する作業を実行するためのセンタである。また、依頼者より、振込処理の依頼内容の修正等の返信をファクシミリで受信することもできる。さらに、受信した返信の内容に沿って、集中センタのオペレータは、振込処理の依頼内容の修正処理を行うこともできる。
【００３６】
そして、前記ゲートウェイサーバ２１は、ＣＰＵ、ＭＰＵ等の演算装置、磁気ディスク、半導体メモリ等の記憶装置、通信インターフェイス等を備えるコンピュータであり、集中センタシステム２０のゲートウェイとして機能し、中継サーバ１３から受信した一般通信電文３１をデータベースサーバ２２に送信する。また、該データベースサーバ２２は、ＣＰＵ、ＭＰＵ等の演算装置、磁気ディスク、半導体メモリ等の記憶装置、通信インターフェイス等を備えるコンピュータであり、受信した一般通信電文３１を記憶手段に格納して蓄積する。さらに、前記ファクシミリサーバ２３は、ＣＰＵ、ＭＰＵ等の演算装置、磁気ディスク、半導体メモリ等の記憶装置、通信インターフェイス等を備えるコンピュータであり、依頼者のファクシミリ装置に宛ててファクシミリ送信を行ったり、依頼者のファクシミリ装置からのファクシミリ送信を受信する機能を有する。
【００３７】
また、前記データベースサーバ２２及びファクシミリサーバ２３には、オペレータ端末２４が通信可能に接続されている。該オペレータ端末２４は、ＣＰＵ、ＭＰＵ等の演算装置、磁気ディスク、半導体メモリ等の記憶装置、キーボード、マウス、タッチパネル等の入力装置、ＣＲＴ、液晶ディスプレイ等の表示装置、通信インターフェイス等を備えるパーソナルコンピュータ等のコンピュータであり、集中センタのオペレータが操作して、データベースサーバ２２に蓄積された一般通信電文３１の確認、ファクシミリサーバ２３からのファクシミリ送信等を行う端末である。
【００３８】
そして、集中センタのオペレータは、オペレータ端末２４を操作して振込状況確認を行う。この場合、集中センタのオペレータは、オペレータ端末２４が備えるブラウザ機能を利用して、データベースサーバ２２に蓄積された一般通信電文３１に含まれる情報を閲覧することができる。該情報は、例えば、振込不能となった理由、振込処理を依頼した顧客、すなわち、依頼者の名称、他の金融機関の名称、振込金額、振込処理を依頼した日時等である。そして、集中センタのオペレータが一般通信電文３１の情報を確認した後に、すなわち、振込状況確認が完了した後に、オペレータ端末２４を操作してファクシミリ依頼を行うと、ファクシミリサーバ２３は、前記一般通信電文３１に該当する依頼者のファクシミリ装置に宛てて、一般通信電文３１の内容をファクシミリ送信する。すなわち、振込不能通知のファクシミリ送信を行う。
【００３９】
また、依頼者より、振込不能通知に対する返信がファクシミリ送信されると、該返信をファクシミリサーバ２３が受信し、データベースサーバ２２に送信する。すると、集中センタのオペレータは、オペレータ端末２４が備えるブラウザ機能を利用して、データベースサーバ２２に蓄積された返信の内容を確認する。そして、返信の内容が振込処理の依頼内容の修正である場合、集中センタのオペレータは、オペレータ端末２４を操作して、仕向再処理を行うことができる。これにより、依頼内容が修正され、他金融機関サーバ１５は、依頼内容が修正された振込処理を再度実行する。
【００４０】
次に、前記構成の仕向振込不能処理システムの動作について説明する。
【００４１】
図４は本発明の実施の形態における仕向振込不能処理システムの運用フローを示す図である。
【００４２】
まず、当該金融機関に口座を開設している顧客によって、他の金融機関に開設されている口座への振込が依頼されると、営業店のオペレータは、営業店端末１１を操作して、為替仕向依頼を入力する。すなわち、依頼入力を行う。この場合、振込先、振込金額等を指定するデータが入力される。そして、該データは、営業店サーバ１２から中継サーバ１３を経由して、勘定系ホストサーバ１４に送信される。
【００４３】
すると、該勘定系ホストサーバ１４は、仕向振込を指示するための電文としての為替仕向電文を作成して、振込先の口座が開設されている他の金融機関の他金融機関サーバ１５に送信する。
【００４４】
続いて、該他金融機関サーバ１５は、受信した為替仕向電文に従って、指定された振込先の口座に指定された振込金額を振り込むための振込処理を実行する。すなわち、他の金融機関内での処理が行われる。そして、前記他金融機関サーバ１５は、実行された振込処理について、被仕向用の電文として為替被仕向電文を作成し、勘定系ホストサーバ１４に送信する。また、何らかの原因によって、振込不能であると判断されると、前記他金融機関サーバ１５は振り込むための処理を中止する。そして、前記他金融機関サーバ１５は、振込不能であると判断された振込処理については、振込不能を示す為替被仕向電文としての一般通信電文３１を作成し、勘定系ホストサーバ１４に送信する。
【００４５】
続いて、該勘定系ホストサーバ１４は、他金融機関サーバ１５から受信した為替被仕向電文を中継サーバ１３に送信する。すると、該中継サーバ１３は、受信した為替被仕向電文を仕分けする。この場合、中継サーバ１３は、為替被仕向電文の内容に基づいて一般通信電文３１を抽出し、一般通信電文３１と、該一般通信電文３１以外のもの、すなわち、その他の為替被仕向電文とに仕分けする。
【００４６】
続いて、中継サーバ１３は、その他の為替被仕向電文を営業店システム１０の営業店サーバ１２に送信する。そして、前記為替被仕向電文の内容は、為替被仕向用プリンタ１６によって、随時印刷媒体に印刷され、為替被仕向用通知が作成される。
【００４７】
また、中継サーバ１３は、仕分けした一般通信電文３１については、送信先を集中センタシステム２０のゲートウェイサーバ２１に変更して送信する。該ゲートウェイサーバ２１は、受信した一般通信電文３１をデータベースサーバ２２に送信して格納させる。集中センタのオペレータは、オペレータ端末２４を操作し、データベースサーバ２２に蓄積された一般通信電文３１に含まれる情報を閲覧して、振込状況確認を行う。そして、前記集中センタのオペレータがオペレータ端末２４を操作してファクシミリ依頼を行うと、ファクシミリサーバ２３は、前記一般通信電文３１に該当する依頼者のファクシミリ装置に宛てて、振込不能通知のファクシミリ送信を行う。
【００４８】
次に、運用フローにおける各ステップを説明する。
ステップＳ１１  営業店のオペレータは、営業店端末１１を操作して、為替仕向依頼を入力する。
ステップＳ１２  営業店サーバ１２は、営業店端末１１から入力されたデータを中継サーバ１３に送信する。
ステップＳ１３  中継サーバ１３は、営業店サーバ１２から受信したデータを勘定系ホストサーバ１４に送信する。
ステップＳ１４  勘定系ホストサーバ１４は、為替仕向電文を作成し、他金融機関サーバ１５に送信する。
ステップＳ１５  他金融機関サーバ１５は、受信した為替仕向電文に従って、振込処理を実行する。
ステップＳ１６  他金融機関サーバ１５は、為替被仕向電文を作成し、勘定系ホストサーバ１４に送信する。
ステップＳ１７  勘定系ホストサーバ１４は、他金融機関サーバ１５から受信した為替被仕向電文を中継サーバ１３に送信する。
ステップＳ１８  中継サーバ１３は、勘定系ホストサーバ１４から受信した為替被仕向電文を一般通信電文３１とその他の為替被仕向電文とに仕分けし、その他の為替被仕向電文を営業店サーバ１２に送信する。
ステップＳ１９  営業店サーバ１２は、中継サーバ１３から受信した為替被仕向電文を為替被仕向用プリンタ１６に印刷させる。
ステップＳ２０  中継サーバ１３は、一般通信電文３１の送信先をゲートウェイサーバ２１に変更して送信する。
ステップＳ２１  ゲートウェイサーバ２１は、中継サーバ１３から受信した一般通信電文３１をデータベースサーバ２２に送信して格納させる。また、ファクシミリサーバ２３は、中継サーバ１３から受信した振込不能通知のファクシミリ送信を行う。
【００４９】
このように、本実施の形態においては、中継サーバ１３が、勘定系ホストサーバ１４が他金融機関サーバ１５から受信した為替被仕向電文の振込不能を示す為替被仕向電文とその他の為替被仕向電文とに仕分けして、振込不能を示す為替被仕向電文を集中センタシステム２０に送信し、その他の為替被仕向電文を営業店システム１０に送信する。そして、集中センタシステム２０は、受信した振込不能を示す為替被仕向電文としての一般通信電文３１を蓄積するデータベースサーバ２２、及び、振込不能通知をファクシミリ送信するファクシミリサーバ２３を備えている。
【００５０】
そのため、為替被仕向電文を自動的に仕分けすることができるので、印刷媒体の消費量を削減することができ、店員の作業負担を低減することができる。また、振込不能な振込処理を依頼した顧客に対する振込不能通知のファクシミリ送信、前記振込不能通知に対する返信のファクシミリ受信、及び、振込不能な振込処理の依頼内容の修正処理をオペレータ端末で行うことができ、作業に必要な時間を大幅に節約することができる。
【００５１】
なお、本発明は前記実施の形態に限定されるものではなく、本発明の趣旨に基づいて種々変形させることが可能であり、それらを本発明の範囲から排除するものではない。
【図面の簡単な説明】
【００５２】
【図１】本発明の実施の形態における仕向振込不能処理システムの構成を示す図である。
【図２】従来のシステムの構成を示す図である。
【図３】従来のシステムの運用フローを示す図である。
【図４】本発明の実施の形態における仕向振込不能処理システムの運用フローを示す図である。
【符号の説明】
【００５３】
１０    営業店システム
１３    中継サーバ
１４    勘定系ホストサーバ
１５    他金融機関サーバ
１６    為替被仕向用プリンタ
２０    集中センタシステム
２２    データベースサーバ
２３    ファクシミリサーバ
３１    一般通信電文
【図１】
2007087114.tif 000003
【図２】
2007087114.tif 000004
【図３】
2007087114.tif 000005
【図４】
2007087114.tif 000006